(57)【要約】【課題】  塀の厚みが異なっても、各塀の上で脚体を安全且つ確実に支持することのできる仮設足場用基台を提供する。【解決手段】  脚体を連結する棒状の連結部が立設され、塀の天面上に配置するプレート状の第一ベース部、及び該第一ベース部に対して略直角をなすように延設され、塀の一側面に対向させる第一規制部を備える第一部材と、連結部が挿入される長穴が穿設され、第一ベース部の一方の面上に積層されたプレート状の第二ベース部、及び第二ベース部に対して略直角に延設され、塀の他側面に対向させる第二規制部を備える第二部材と、連結部を挿入する挿入穴が穿設されたプレート部材とを備え、第二ベース部及びプレート部材の何れか一方に他方側に突出した突出部が形成され、第二ベース部及びプレート部材の何れか他方に突出部を嵌合させる複数の被嵌合部が長穴の長手方向に間隔をあけて設けられている。【選択図】図１
2008280745.tif 000002
【特許請求の範囲】
【請求項１】
作業領域に沿って立設される複数の脚体のそれぞれに取り付けられた梁状のブラケットに踏板を掛け渡すように構成された仮設足場の前記脚体を塀の上で支持するための仮設足場用基台であって、前記脚体を嵌合させて連結する棒状の連結部が一方の面上に立設され、前記塀の天面上に配置するプレート状の第一ベース部を備えるとともに、該第一ベース部に対して略直角をなすように第一ベース部の他方の面側に延設され、前記塀の一側面に対向させる第一規制部を備える第一部材と、前記連結部を挿入する長穴が穿設され、該長穴の長手方向にスライド可能に前記第一ベース部の一方の面上に積層されたプレート状の第二ベース部を備えるとともに、前記長穴の長手方向の一端側で第二ベース部に対して略直角に延設され、前記塀の他側面に対向させる第二規制部を備える第二部材と、連結部を挿入する挿入穴が穿設され、第二ベース部上に積層されるプレート部材とを備え、前記第二ベース部及びプレート部材の少なくとも何れか一方に他方側に突出した突出部が形成され、前記第二ベース部及びプレート部材の少なくとも何れか他方に前記突出部を嵌合させる被嵌合部が前記長穴の長手方向に間隔をあけて少なくとも二つ以上設けられていることを特徴とする仮設足場用基台。
【請求項２】
前記被嵌合部のそれぞれは、前記長穴の長手方向に延びる両縁部に形成された切欠部で構成され、前記突出部は、前記プレート部材の一端部を屈曲して形成され、両縁部ある切欠部に嵌合して長穴の両縁部に跨るように構成されている請求項１に記載の仮設足場用基台。
【請求項３】
前記プレート部材は、前記突出部が挿入穴に対して何れか一端側に変位して設けられ、被嵌合部は、第二部材を長穴の長手方向にスライドさせたときに、少なくとも一つが連結部よりもスライド方向側に位置するように形成され、プレート部材を挿入穴周りで１８０°回転させることで、スライド方向側にある被嵌合部に突出部が嵌合可能になるように構成されている請求項１又は２に記載の仮設足場用基台。
【発明の詳細な説明】
【技術分野】
【０００１】
本発明は、建築工事や建物の外装工事等の高所作業を行うに際して立設される足場用の基台に関し、より詳しくは、組み立て式の仮設足場の脚体を支持するための仮設足場用基台に関する。
【背景技術】
【０００２】
建築工事や建物の外装工事等は高所作業が伴うため、通常、作業を行うに際して予め作業領域に近接するように組み立て式の仮設足場が設置される。かかる仮設足場には、種々の形態のものがあり、例えば、図１２（ａ）、及び図１２（ｂ）に示す如く、作業領域Ｘに沿うように、所定の間隔をあけて立設される複数の脚体５０ａ，５０ｂ，…と、各脚体５０ａ，５０ｂ，…に対して着脱自在に構成され、脚体５０ａ，５０ｂ，…に取り付けられた状態で梁状になるブラケット５１と、間隔をあけて立設された脚体５０ａ，５０ｂ，…に取り付けられたブラケット５１に掛け渡され、作業者が移動する（乗る）領域となる踏板５２とで構成されたものがある。なお、図１２（ａ）、及び図１２（ｂ）は、仮設足場の側面図であり、図面奥行き方向において、複数の脚体５０ａ，５０ｂ，…が間隔をあけて配設されるとともに、踏板５２が掛け渡されている。
【０００３】
前記脚体５０ａ，５０ｂ，…は、一般に金属製の筒体で構成され、両端部が別の脚体５０ａ，５０ｂ，…を接続できるように構成されている。すなわち、脚体５０ａ，５０ｂ，…は、一端部が小径に形成される一方、他端部が大径に設定されており、一端部に別の脚体５０ａ，５０ｂ，…の他端部を嵌入することで複数の脚体５０ａ，５０ｂ，…を繋いて一本の脚にできるようになっている。そして、該脚体５０ａ，５０ｂ，…は、軸線方向で所定間隔毎にブラケット５１を取り付けるための掛止部５３，…が設けられている。上記構成の脚体５０ａ，５０ｂ，…は、最下端になる端部に基台Ａを取り付けた上で立設されるようになっている。かかる基台Ａは、板状のベース５４と、該ベース５４の一方の面に立設された棒状の連結部５５とを備えており、脚体５０ａ，５０ｂ，…の端部（下端部）を連結部５５と嵌合することで一本になった脚を支持するようになっている。
【０００４】
前記ブラケット５１は、棒状に形成されたブラケット本体５６と、該ブラケット本体５６の両端に連設され、脚体５０ａ，５０ｂ，…の掛止部５３，…に掛止させる被掛止部５７，５７とを備えている。そして、該ブラケット５１には、ブラケット本体５６及び被掛止部５７，５７に加え、ブラケット本体５６に対して傾斜するように延設され、先端部に脚体５０ａ，５０ｂ，…の外周に当接させる当接部６０の設けられたアーム６１を備えたもの（図１２（ａ）参照）や、ブラケット本体５６及び被掛止部５７，５７のみで構成されたもの（図１２（ｂ）参照）等があるが、何れも、立設された脚体５０ａ，５０ｂ，…の掛止部５３，…に被掛止部５７，５７を掛止させることで、ブラケット本体５６が脚体５０ａ，５０ｂ，…に対して略直角をなして延出する横梁になるように構成されている。なお、アーム６１を備えたブラケット５１は、掛止部５３，…に被掛止部５７，５７を掛止させた状態で、当接部６０が脚体５０ａ，５０ｂ，…に当接してアーム６１が筋交いの如く機能するようになっている。
【０００５】
前記踏板５２は、平面視長方形状をなす踏板本体５８と、該踏板本体５８の長手方向の両端部に延設され、前記ブラケット本体５６に掛止可能なフック５９，５９とを備えている。
【０００６】
上記構成の仮設足場は、作業領域Ｘに沿うように複数の脚体５０ａ，５０ｂ，…を立設するとともに各脚体５０ａ，５０ｂ，…にブラケット５１（ブラケット本体５６）を取り付け、隣り合う脚体５０ａ，５０ｂ，…に取り付けられたブラケット５１に踏板５２のフック５９，５９を掛止することで複数の踏板本体５８が一列に並び、作業者が移動する足場領域が確保されるようになっている。
【０００７】
なお、この仮設足場は、作業領域Ｘを包囲するように該作業領域Ｘに沿って所定間隔毎に一本の脚（脚体５０ａ，５０ｂ，…の連続体）を立設し、ブラケット５１の一方の被掛止部５７を脚体５０ａ，５０ｂ，…の掛止部５３に掛止させてブラケット５１を片持ち梁のように配設し、隣り合うブラケット５１に踏板５２を掛け渡して仮設される（組み立てられる）場合（図１２（ａ）参照）と、作業領域Ｘに沿って所定間隔毎に二本の脚（脚体５０ａ，５０ｂ，…の連続体）を立設し、ブラケット５１の両方の被掛止部５７，５７を二本の脚体５０ａ，５０ｂ，…の掛止部５３，５３に掛止させてブラケット５１を両持ち梁のように配設し、隣り合うブラケット５１に踏板５２を掛け渡して仮設される（組み立てられる）場合（図１２（ｂ）参照）があるが、ブラケット５１を両持ち梁の如く配置する場合には、アーム６１を備えていないブラケット５１又はアーム６１を備えたブラケット５１の何れかが採用され、ブラケット５１を片持ち梁の如く配置する場合には、アーム６１を備えたブラケット５１が採用される。
【発明の開示】
【発明が解決しようとする課題】
【０００８】
ところで、上記構成の仮設足場は、組み立て式（組立及び分解が可能）であるため、現場まで運搬することが可能であり、作業領域に合わせて脚体を配置すれば、その現場に応じた足場を構築することができるが、近隣の敷地との関係で設置が制限される場合がある。具体的には、建築基準等で隣の敷地との境界から建物の外壁面までの距離（いわゆる壁面後退）が所定距離に設定されている場合があり、壁面後退によっては仮設足場の脚体５０ａ，５０ｂ，…を隣の敷地との境界上に設置しなければならない場合があるが、敷地の境界に塀（例えば、ブロック塀）Ｗが立設されることが多く、脚体５０ａ，５０ｂ，…を設置することができない場合がある。
【０００９】
この様な事態を考慮して、基台Ａのベース５４を塀Ｗの上部に嵌め合わせ可能にコの字状に形成することも考えられるが、塀Ｗを構築するブロックや煉瓦には種々のサイズのものがあるため、塀Ｗの厚みが必ずしも一定ではなく、塀Ｗの厚みに応じた複数種類の基台Ａを用意しなければならないといった問題がある。
【００１０】
そこで、本発明は、斯かる実情に鑑み、塀の厚みが異なっても、各塀の上で脚体を安全且つ確実に支持することのできる仮設足場用基台を提供することを課題とする。
【課題を解決するための手段】
【００１１】
本発明に係る仮設足場用基台は、作業領域に沿って立設される複数の脚体のそれぞれに取り付けられた梁状のブラケットに踏板を掛け渡すように構成された仮設足場の前記脚体を塀の上で支持するための仮設足場用基台であって、前記脚体を嵌合させて連結する棒状の連結部が一方の面上に立設され、前記塀の天面上に配置するプレート状の第一ベース部を備えるとともに、該第一ベース部に対して略直角をなすように第一ベース部の他方の面側に延設され、前記塀の一側面に対向させる第一規制部を備える第一部材と、前記連結部を挿入する長穴が穿設され、該長穴の長手方向にスライド可能に前記第一ベース部の一方の面上に積層されたプレート状の第二ベース部を備えるとともに、前記長穴の長手方向の一端側で第二ベース部に対して略直角に延設され、前記塀の他側面に対向させる第二規制部を備える第二部材と、連結部を挿入する挿入穴が穿設され、第二ベース部上に積層されるプレート部材とを備え、前記第二ベース部及びプレート部材の少なくとも何れか一方に他方側に突出した突出部が形成され、前記第二ベース部及びプレート部材の少なくとも何れか他方に前記突出部を嵌合させる被嵌合部が前記長穴の長手方向に間隔をあけて少なくとも二つ以上設けられていることを特徴とする。
【００１２】
上記構成の仮設足場用基台によれば、第一ベース部及び第一規制部を備えた第一部材に対して第二ベース部及び第二規制部を備えた第二部材を長穴の長手方向にスライド（第一部材と第二部材とを相対移動）させることで、第一規制部と第二規制部との間隔を塀の厚みに対応させることができる。これにより、第一規制部と第二規制部とで塀を両側面側から挟んだ状態にすることができ、塀の上に配置してもズレ落ちることが防止される。
【００１３】
そして、プレート部材は、挿入穴に対する連結部の挿入で長穴の長手方向の移動が規制されているので、第一部材と第二部材とをスライドさせて何れかの被嵌合部に突出部を嵌合させると、第二部材の移動（スライド）が規制され、第一規制部と第二規制部との間隔を塀の厚みに対応させた状態で維持させることができる。そして、プレート部材に脚体が載るように、脚体を連結部に嵌合することで、その脚体の荷重でプレート部材が連結部の軸線方向に浮き上がることが防止され、突出部と被嵌合部との嵌合状態が確実に維持されることになる。
【００１４】
このように、本発明に係る仮設足場用基台は、立設された塀の厚みに囚われることなく、ズレ落ちを防止して塀の上で確実且つ安全に脚体を支持することができる。
【００１５】
本発明の一態様として、前記被嵌合部のそれぞれは、前記長穴の長手方向に延びる両縁部に形成された切欠部で構成され、前記突出部は、前記プレート部材の一端部を屈曲して形成され、両縁部ある切欠部に嵌合して長穴の両縁部に跨るように構成されてもよい。このようにすれば、プレート部材の一端部（突出部）を切欠部（被嵌合部）に嵌合することで、突出部が長穴の両側に跨った状態で第二ベース部（第二部材）に係止されることになり、第二部材の移動を確実に規制することができる。
【００１６】
そして、前記プレート部材は、前記突出部が挿入穴に対して何れか一端側に変位して設けられ、被嵌合部は、第二部材を長穴の長手方向にスライドさせたときに、少なくとも一つが連結部よりもスライド方向側に位置するように形成され、プレート部材を挿入穴周りで１８０°回転させることで、スライド方向側にある被嵌合部に突出部が嵌合可能になるように構成されていることが好ましい。このようにすれば、長穴の長手方向に間隔をあけて設けられる被嵌合部の数を増加させることなく、第二部材の移動を規制できる位置を増やすことができる。すなわち、第一規制部と第二規制部との間隔を変更させるパターンに応じた数の被嵌合部を設ける必要が無く、その結果、第二ベース部のスライド方向の長さを最小限に抑えることができる。これにより、当該仮設足場用基台を小型化することができる。
【発明の効果】
【００１７】
本発明に係る仮設足場用基台によれば、塀の厚みが異なっても、各塀の上で脚体を安全且つ確実に支持することができるという優れた効果を奏し得る。
【発明を実施するための最良の形態】
【００１８】
以下、本発明の一実施形態に係る仮設足場用基台について、添付図面を参照しつつ説明する。なお、本実施形態に係る仮設足場用基台は、背景技術（従来技術）で説明した仮設足場の脚体を塀の上で支持するものである。従って、以下の説明においては、従来技術で説明した構成については従来技術と同一名称及び同一符号を付して説明を割愛することとする。
【００１９】
図１に示す如く、本実施形態に係る仮設足場用基台Ｂは、脚体５０ａ，５０ｂ，…を嵌合させて連結する棒状の連結部１０が一方の面上に立設され、前記塀Ｗの天面上に配置するプレート状の第一ベース部１１を備えるとともに、該第一ベース部１１に対して略直角をなすように第一ベース部１１の他方の面側に延設され、前記塀Ｗの一側面に対向させる第一規制部１２を備える第一部材１と、前記連結部１０が挿入される長穴２０が穿設され、該長穴２０の長手方向にスライド可能に前記第一ベース部１１の一方の面上に積層されたプレート状の第二ベース部２１を備えるとともに、前記長穴２０の長手方向の一端側で第二ベース部２１に対して略直角に延設され、前記塀Ｗの他側面に対向させる第二規制部２２を備える第二部材２と、連結部１０を挿入する挿入穴３０が穿設され、第二ベース部２１上に積層されるプレート部材３とを備えている。
【００２０】
本実施形態に係る第一部材１は、長方形状の金属プレートをＬ字状に曲げ加工することで、前記第一ベース部１１及び第一規制部１２のそれぞれが略正方形状に形成されている。そして、前記連結部１０は、金属パイプで構成され、一端が上面となる第一ベース部１１の一方の面に溶接されており、本実施形態においては、第一ベース部１１の一方に面（平面領域）の中央部に立設されている。
【００２１】
本実施形態に係る第一部材１は、上記構成に加え、第一ベース部１１の両側端部に該第一ベース部１１と略直角をなす一対の突片１３，１３が延設されている。該一対の突片１３，１３は、連結部１０と同様に、第一ベース部１１の一方の面側に延出し、第一ベース部１１上に積層される第二部材２の第二ベース部２１の両側端と対向するように設けられている。これにより、第二部材２が連結部１０周りで回転するのを規制するようになっている。そして、該一対の突片１３，１３には、第一ベース部１１上に積層される第二ベース部２１が第一ベース部１１から浮き上がるのを防止するための規制ピン１４が取り付けられるようになっている。
【００２２】
具体的に説明すると、一対の突片１３，１３のそれぞれには、規制ピン１４としての鍔付きリベットを挿通するための貫通穴１５が穿設されている。該貫通穴１５は、挿通した鍔付きリベット１４の軸部が第一ベース部１１上に積層された第二ベース部２１上に延出するように形成されている。そして、該規制ピン１４（鍔付きリベット１４）は軸部がかしめられることで、突片１３，１３からの脱落が防止された上で第二ベース部２１の浮き上がりを防止するようになっている。そして、一方の突片１３には、プレート部材３を連結する索条（本実施形態においてはワイヤー）Ｌを挿通するための索条挿通穴Ｈが穿設されている。
【００２３】
本実施形態に係る第二部材２は、第一部材１と同様に、長方形状の金属プレートをＬ字状に曲げ加工することで、前記第二ベース部２１が略長方形状に形成され、第二規制部２２が正方形状に形成されている。前記第二ベース部２１は、第二規制部２２との境界（曲げ稜線）から先端までの長さ（長手方向の長さ）が、第一ベース部１１の第一規制部１２との境界（曲げ稜線）から先端までの長さよりも長く設定され、該長さ方向と直交する方向の長さが一対の突片１３，１３間の距離よりもやや小さく設定されている。これにより、長穴２０に連結部１０を挿通した状態で、第二ベース部２１が第一ベース部１１の一方の面に面接触した状態になるように構成されている。なお、前記規制ピン１４は、第一ベース部１１に第二ベース部２１を積層した上で突片１３，１３に取り付けられる。
【００２４】
そして、前記長穴２０は、第二ベース部２１の長手方向に延びるように形成されており、短径が連結部１０の外径よりもやや大きく設定されて該連結部１０が遊挿され、長穴２０の形成範囲（長手方向）で第二部材２がスライドできるようになっている。本実施形態に係る長穴２０は、該長穴２０の長手方向の一端部（第二規制部２２側の端部）に連結部１０を位置させた状態で第二規制部２２が第一ベース部１１の先端に接近した配置になり、該長穴２０の長手方向の他端部（第二規制部２２とは反対側の端部）に連結部１０を位置させた状態で第二規制部２２が第一ベース部１１から離間して、第二ベース部２１の先端が第一ベース部１１と第一規制部１２との境界近傍に位置するように、長手方向の長さが設定されている。なお、本実施形態において、前記長穴２０は、第二ベース部２１の長手方向に延びる中心線（長手方向と直交する幅方向の中央を通る中心線）上に延びるように形成されている。
【００２５】
そして、本実施形態に係る第二部材２は、第二ベース部２１に後述する突出部３１を嵌合させる被嵌合部２３ａ，２３ｂ，２３ｃが少なくとも二つ以上形成されている。かかる被嵌合部２３ａ，２３ｂ，２３ｃは、突出部３１の配置や形状に対応して形成され、本実施形態においては、長穴２０の長手方向に延びる縁部に対し、その長手方向に間隔をあけて形成された複数の切欠部で構成されている。より具体的には、長穴２０を画定する長手方向に延びる両縁部の対向位置に二つ一組となる（一対の）切欠部２３ａ，２３ｂ，２３ｃが長穴２０の長手方向に間隔をあけて複数組形成されており、被嵌合部２３ａ，２３ｂ，２３ｃのそれぞれが、二つ一組の切欠部で構成されている。なお、各切欠部２３ａ，２３ｂ，２３ｃは、平面視略角形に形成されている。
【００２６】
本実施形態において、被嵌合部２３ａ，２３ｂ，２３ｃは、長穴２０の長手方向に間隔をあけて三つ設けられている。そして、図２に示す如く、被嵌合部２３ａ，２３ｂ，２３ｃ同士の間隔ａ，ｂは、突出部３１を嵌合させたときに、第一規制部１２と第二規制部２２との間隔が対象とされる塀Ｗの厚みに対応した間隔Ｓ１〜Ｓ５になるように設定されている。本実施形態においては、長穴２０の長手方向の一端側の被嵌合部２３ａとこれに隣接する被嵌合部２３ｂ（中央の被嵌合部２３ｂ）との間隔（中心間距離）ａが１７ｍｍに設定され、長穴２０の長手方向の他端側の被嵌合部２３ｃとこれに隣接する被嵌合部２３ｂ（中央の被嵌合部２３ｂ）との間隔（中心間距離）ｂが２０ｍｍに設定されている。
【００２７】
図１に戻り、前記プレート部材３は、第一部材１及び第二部材２と同様の金属プレートで構成されている。該プレート部材３は平面視長方形状に形成されており、前記連結部１０を挿入する挿入穴３０が穿設されている。該挿入穴３０は、連結部１０の外径よりもやや大きめに設定され、且つ、連結部１０に外嵌される脚体５０ａ，５０ｂ，…（脚体５０ａ，５０ｂ，…の端部）の外径よりも小さく設定されている。
【００２８】
そして、本実施形態においては、前記被嵌合部２３ａ，２３ｂ，２３ｃが第二ベース部２１に形成されているので、該被嵌合部２３ａ，２３ｂ，２３ｃに嵌合させる突出部３１がプレート部材３に設けられている。該突出部３１は、挿入穴３０に対してプレート部材３の一端側に変位した位置に設けられている。本実施形態においては、プレート部材３の一端部が一方の面側に屈曲して該面側に突出した突出部３１を構成している。そして、該プレート部材３は、挿入穴３０に連結部１０を挿入した状態で、一端部（突出部３１）が長穴２０の長手方向に延びる両縁部に設けられた一対の切欠部（被嵌合部）２３ａ，２３ｂ，２３ｃに嵌合し、長穴２０の長手方向に延びる両縁部に跨るようになっている。すなわち、該プレート部材３は、長手方向の一端部が突出部３１を構成し、該長手方向と直交する幅方向の寸法が、長穴２０の短径よりも広く、且つ一対の切欠部（被嵌合部）２３ａ，２３ｂ，２３ｃの奥部間よりも狭く設定されており、突出部３１（一端部）の幅方向の両端部が一対の切欠部（被嵌合部）２３ａ，２３ｂ，２３ｃに嵌合するようになっている。
【００２９】
本実施形態に係るプレート部材３は、長手方向の他端側の角部が第二ベース部２１とは反対側に曲げられ、該角部に前記索条Ｌ（ワイヤー）を挿通させる索条挿通穴Ｈが穿設されている。
【００３０】
前記索条Ｌは、一端側が前記突片１３，１３の索条挿通穴Ｈに挿通させた状態で折返し、対向する部分を筒状の圧着部材（採番しない）で圧着することで環状をなして突片１３，１３に連結され、他端側が前記プレート部材３の索条挿通穴Ｈに挿通させた状態で折返し、対向する部分を筒状の圧着部材（採番しない）で圧着することで環状をなしてプレート部材３に連結されている。該索条Ｌは、プレート部材３の紛失を防止するためのもので、上述の如く、突片１３，１３とプレート部材３とを連結した状態で、プレート部材３を連結部１０周りで１８０°回転させることを許容できる長さに設定されている。
【００３１】
本実施形態に係る仮設足場用基台Ｂは、図３〜図７に示す如く、挿入穴３０に対して変位した突出部３１を連結部１０よりも第二ベース部２１の基端側（第二ベース部２１と第二規制部２２との境界）側で前記被嵌合部２３ａ，２３ｂ，２３ｃに対して嵌合可能に構成され、プレート部材３を挿入穴３０（連結部１０）周りで１８０°回転させることで、挿入穴３０に対して変位した突出部３１を連結部１０よりも第二ベース部２１の先端側でも前記被嵌合部２３ｂ，２３ｃに対して嵌合可能に構成されている。
【００３２】
すなわち、複数の被嵌合部２３ａ，２３ｂ，２３ｃは、第二部材２を第二ベース部２１の基端側（長穴２０の長手方向の一端側）にスライドさせたときに、連結部１０よりも第二ベース部２１の基端側（第二部材２のスライド方向側）にある突出部３１が嵌合可能に少なくとも一つの被嵌合部２３ａ，２３ｂ，２３ｃが連結部１０よりも第二ベース部２１の基端側に位置し、第二部材２を第二ベース部２１の先端側（長穴２０の長手方向の他端側）にスライドさせたときに、連結部１０よりも第二ベース部２１の先端側（第二部材２のスライド方向側）にある突出部３１が嵌合可能に少なくとも一つの被嵌合部２３ａ，２３ｂ，２３ｃが連結部１０よりも第二ベース部２１の先端側に位置するように配置されている。
【００３３】
本実施形態においては、第二部材２を長穴２０の長手方向の一端側にスライドさせることで、三つの被嵌合部２３ａ，２３ｂ，２３ｃに対して連結部１０よりも第二ベース部２１の基端側にある突出部３１が嵌合可能となり（図５〜図７参照）、プレート部材３を１８０°反転させて第二部材２を長穴２０の長手方向の他端側にスライドさせることで、三つの被嵌合部２３ａ，２３ｂ，２３ｃのうち、長穴２０の長手方向の他端側にある二つの被嵌合部２３ａ，２３ｂ，２３ｃに対して連結部１０よりも第二ベース部２１の先端側にある突出部３１が嵌合可能になるように構成されている（図３及び図４参照）。
【００３４】
より具体的には、本実施形態に係る仮設足場用基台Ｂは、図２に示す如く、塀Ｗの厚みが一般的なブロックの厚みであるとして、１００ｍｍ、１２０ｍｍ、１５０ｍｍ、１７０ｍｍ、１９０ｍｍの塀Ｗを対象に、上述の如く、三つ（三組）の被嵌合部２３ａ，２３ｂ，２３ｃの間隔（中心間距離）ａ，ｂが第二ベース部２１の基端側から１７ｍｍ、２０ｍｍに設定されており、第二部材２を長穴２０の長手方向の一端側にスライドさせたとき（一端側を先頭にしてスライドさせたとき）、長穴２０の他端側にある被嵌合部２３ｃから一端側の被嵌合部２３ａに向けて順に突出部３１を嵌合させることで、第一規制部１２と第二規制部２２との間隔Ｓ１，Ｓ２，Ｓ３が、Ｓ１＝約１９５ｍｍ、Ｓ２＝約１７５ｍｍ、Ｓ３＝約１５５ｍｍになるように構成されるとともに、第二部材２を長穴２０の長手方向の他端側にスライドさせたとき（他端側を先頭にしてスライドさせたとき）、長穴２０の長手方向の他端にある被嵌合部２３ｃから中央の被嵌合部２３ｂに向けて順に突出部３１を嵌合させることで、第一規制部１２と第二規制部２２との間隔Ｓ４，Ｓ５が、Ｓ４＝約１２５ｍｍ、Ｓ５＝約１０５ｍｍになるように構成されている。
【００３５】
本実施形態に係る仮設足場用基台Ｂは、以上の構成からなり、次に、使用方法について説明する。
【００３６】
なお、仮設足場は、従来技術でも説明したように、所定間隔毎に一本の脚（脚体５０ａ，５０ｂ，…の連続体）を立設して組み立てる場合と、脚（脚体５０ａ，５０ｂ，…の連続体）を二本一組（一対一組）にして所定間隔毎に立設して組み立てる場合とがあるので、まず、所定間隔毎に一本の脚（脚体５０ａ，５０ｂ，…の連続体）を立設して仮設足場を組み立てる場合について説明する。
【００３７】
図８（ａ）、図９及び図１０に示す如く、作業領域Ｘ（建物又は建物の建てられる領域）を包囲するように所定間隔おきに脚体５０ａ，５０ｂ，…を立設する。このとき、仮設足場用基台Ｂの第一規制部１２と第二規制部２２との間隔を塀Ｗの厚みに対応させる。すなわち、プレート部材３の突出部３１の被嵌合部２３ａ，２３ｂ，２３ｃとの嵌合状態を解除し、第一部材１と第二部材２とを長穴２０の長手方向にスライドさせ、第一規制部１２と第二規制部２２との間隔が塀Ｗの厚みに対応することになる被嵌合部２３ａ，２３ｂ，２３ｃに突出部３１を嵌合する（図３〜図７参照）。この状態で、第一規制部１２と第二規制部２２との間隔が設置の対象となる塀Ｗの厚みに対応することになり、第一部材１（第一ベース部１１）を敷地の境界上に立設された塀Ｗの天面上に載置することで、第一規制部１２及び第二規制部２２が塀Ｗを両側面から挟み込んだ状態になる。
【００３８】
そして、脚体５０ａ，５０ｂ，…を連結部１０に外嵌すると、脚体５０ａ，５０ｂ，…がプレート部材３上に載ってプレート部材３が押さえられ、浮き上がりが防止され、被嵌合部２３ａ，２３ｂ，２３ｃに対する突出部３１の嵌合が解除される事が防止された状態になる（図３〜図７参照）。これにより、第二部材２のスライド（移動）が規制され、第一規制部１２と第二規制部２２とで塀Ｗを両側面から挟んだ状態で維持し、当該仮設足場用基台Ｂが塀Ｗから脱落することが防止された状態で維持することになる。
【００３９】
そして、各脚体５０ａ，５０ｂ，…にアーム６１を備えたブラケット５１を取り付け、ブラケット５１を一本の脚体５０ａ，５０ｂ，…から直交方向に延出した片持ち梁の如く配置する。そして、隣り合う脚体５０ａ，５０ｂ，…のそれぞれに取り付けられたブラケット５１に踏板５２を掛け渡すと、踏板５２が連なって回廊のようになり、作業者が移動する領域が形成される。
【００４０】
なお、上述の如く、所定間隔おきに一本の脚体（脚）５０ａ，５０ｂ，…を立設する場合、隣り合う脚体５０ａ，５０ｂ，…のそれぞれに取り付けられたブラケット５１に踏板５２を掛け渡して作業領域Ｘを包囲した状態で構造物となるため、脚体５０ａ，５０ｂ，…を立設していくに際し、各脚体５０ａ，５０ｂ，…の倒れを防止するのに一時的に建物等にサポートさせる場合がある。また、ブラケット５１や踏板５２の取り付けは、脚体５０ａ，５０ｂ，…を立設していく毎に行われる。
【００４１】
次に、脚（脚体５０ａ，５０ｂ，…の連続体）を二本一組（一対一組）にして所定間隔毎に立設して仮設足場を組み立てる場合について説明する。なお、この場合、作業領域Ｘを包囲した状態にしなくても自立性があるため、上述のように作業領域Ｘを包囲するように作業領域Ｘに沿って仮設足場を組み立てる場合と、作業領域Ｘの一部に沿って仮設足場を部分的に組み立てる場合があるが、組立方は何れも同様である。
【００４２】
まず、図８（ｂ）及び図１１に示す如く、作業領域Ｘに沿うように、二本一組（一対一組）の脚体５０ａ，５０ｂ，…（脚）を所定間隔毎に複数組立設する。このとき、一組（一対）の脚体５０ａ，５０ｂ，…のうちの一方の脚体５０ａ，５０ｂ，…は、本実施形態に係る仮設足場用基台Ｂを用いて支持され、他方の脚体５０ａ，５０ｂ，…は、従来の基台Ａで支持される。
【００４３】
このように一対の脚体５０ａ，５０ｂ，…のうちの一方が塀Ｗの上で支持されると、他方との間で高低差が生じるが、各脚体５０ａ，５０ｂ，…は、別の脚体５０ａ，５０ｂ，…が継ぎ足されて長尺な一本の脚となるため、それぞれを作業対象の高さにまで別の脚体５０ａ，５０ｂ，…を継ぎ足すことで高低差の問題は解消される。
【００４４】
この場合も、上述の場合と同様に、仮設足場用基台Ｂの第一規制部１２と第二規制部２２との間隔を塀Ｗの厚みに対応させて、第一部材１（第一ベース部１１）を敷地の境界上に立設された塀Ｗの天面上に載置することで、第一規制部１２及び第二規制部２２が塀Ｗを両側面から挟み込んだ状態になり、脚体５０ａ，５０ｂ，…を連結部１０に外嵌することで、プレート部材３の浮き上がりが防止され、被嵌合部２３ａ，２３ｂ，２３ｃに対する突出部３１の嵌合が解除される事が防止された状態になる。
【００４５】
そして、ブラケット５１を一対の脚体５０ａ，５０ｂ，…（脚）に跨る両持ち梁のように取り付け、同様に別の組の脚体５０ａ，５０ｂ，…を立設してブラケット５１を取り付け、この隣り合う組の脚体５０ａ，５０ｂ，…に取り付けたブラケット５１に踏板５２を掛け渡す。この様に別の組の脚体５０ａ，５０ｂ，…を立設して踏板５２を掛け渡していくことで、各踏板５２が繋がって作業者が移動する領域が形成される。従って、この場合も、作業領域Ｘを包囲するように複数組の脚体５０ａ，５０ｂ，…を立設して踏板５２を掛け渡すと、踏板５２が連なって作業者が移動する領域が形成される。
【００４６】
以上のように、本実施形態に係る仮設足場用基台Ｂは、脚体５０ａ，５０ｂ，…を嵌合させて連結する棒状の連結部１０が一方の面上に立設され、前記塀Ｗの天面上に配置するプレート状の第一ベース部１１、及び該第一ベース部１１に対して略直角をなすように第一ベース部１１の他方の面側に延設され、前記塀Ｗの一側面に対向させる第一規制部１２を備える第一部材１と、前記連結部１０が挿入される長穴２０が穿設され、該長穴２０の長手方向にスライド可能に前記第一ベース部１１の一方の面上に積層されたプレート状の第二ベース部２１、及び前記長穴２０の長手方向の一端側で第二ベース部２１に対して略直角に延設され、前記塀Ｗの他側面に対向させる第二規制部２２を備える第二部材２と、連結部１０を挿入する挿入穴３０が穿設されたプレート部材３とを備え、前記第二ベース部２１及びプレート部材３の何れか一方に他方側に突出した突出部３１が形成され、前記第二ベース部２１及びプレート部材３の何れか他方に前記突出部３１を嵌合させる複数の被嵌合部２３ａ，２３ｂ，２３ｃが前記長穴２０の長手方向に間隔をあけて少なくとも二つ以上設けられているので、第一規制部１２及び第二規制部２２との間隔を塀Ｗの厚みに対応させることができるうえに、その設定した間隔で確実に維持することができる。
【００４７】
これにより、第一ベース部１１を塀Ｗの天面上に配置した状態で第一規制部１２及び第二規制部２２が当該仮設足場用基台Ｂのズレ落ちが確実に防止した上で連結部１０に脚体５０ａ，５０ｂ，…を連結することができる。従って、本実施形態に係る仮設足場用基台Ｂは、塀Ｗの厚みが異なっても、各塀Ｗの上で脚体５０ａ，５０ｂ，…を安全且つ確実に支持することができるという優れた効果を奏し得る。
【００４８】
また、本実施形態に係る仮設足場用基台Ｂは、前記被嵌合部２３ａ，２３ｂ，２３ｃのそれぞれが、前記長穴２０の長手方向に延びる両縁部に形成された切欠部で構成され、前記突出部３１が前記プレート部材３の一端部を屈曲させることで形成され、両縁部ある切欠部２３ａ，２３ｂ，２３ｃに嵌合して長穴２０の両縁部に跨るように構成されているので、プレート部材３の一端部（突出部）３１を切欠部（被嵌合部）２３ａ，２３ｂ，２３ｃに嵌合することで、突出部３１が長穴２０の両側に跨った状態で第二ベース部２１（第二部材２）に係止されることになり、第二部材２の移動を確実に規制することができる。
【００４９】
さらに、本実施形態に係る仮設足場用基台Ｂは、プレート部材３の突出部３１が挿入穴３０に対して何れか一端側に変位して設けられ、複数の被嵌合部２３ａ，２３ｂ，２３ｃは第二部材２を長穴２０の長手方向にスライドさせたときに少なくとも一つの被嵌合部２３ａ，２３ｂ，２３ｃが連結部１０よりもスライド方向側（第二ベース部２１の長手方向の一端側及び他端側）に位置するように形成され、プレート部材３を挿入穴３０周りで１８０°回転させることで、スライド方向側にある被嵌合部２３ａ，２３ｂ，２３ｃに突出部３１が嵌合可能になるように構成されているので、長穴２０の長手方向に間隔をあけて設けられる被嵌合部２３ａ，２３ｂ，２３ｃの数を増加させることなく、第二部材２の移動を規制できる位置を増やすことができる。すなわち、第一規制部１２と第二規制部２２との間隔を変更させるパターンに応じた数の被嵌合部２３ａ，２３ｂ，２３ｃを設ける必要が無く、その結果、第二ベース部２１の長手方向（スライド方向）の長さを最小限に抑えることができる。これにより、当該仮設足場用基台Ｂを小型化することができる。
【００５０】
尚、本発明の仮設足場用基台は、上記実施形態に限定されるものではなく、本発明の要旨を逸脱しない範囲内において種々変更を加え得ることは勿論である。
【００５１】
上記実施形態において、長穴２０の長手方向に延びる両縁部に切欠部を形成して被嵌合部２３ａ，２３ｂ，２３ｃにするとともに、プレート部材３の一端部を曲げて突出部３１とし、該突出部３１の両側端部が一対の切欠部２３ａ，２３ｂ，２３ｃに嵌合するようにしたが、これに限定されるものではなく、例えば、長穴２０の長手方向に延びる一方の縁部に切欠部２３ａ，２３ｂ，２３ｃを形成して被嵌合部２３ａ，２３ｂ，２３ｃにするとともに、プレート部材３の一端部を曲げて突出部３１とし、該突出部３１の一側端部が切欠部２３ａ，２３ｂ，２３ｃに嵌合するようにしてもよい。また、複数の被嵌合部２３ａ，２３ｂ，２３ｃのそれぞれを穴で構成し、突出部３１を前記穴に嵌合可能にピン状に形成してもよい。
【００５２】
上記実施形態において、複数の被嵌合部２３ａ，２３ｂ，２３ｃを第二部材２（第二ベース部２１）に設け、突出部３１をプレート部材３に設けるようにしたが、これに限定されるものではなく、例えば、プレート部材３に複数の被嵌合部２３ａ，２３ｂ，２３ｃ（例えば、穴）を設け、第二ベース部２１に突出部３１を設けるようにしたり、第二ベース部２１及びプレート部材３の両方に相手側に突出した突出部を設け、第二ベース部２１及びプレート部材３の両方に相手側の突出部を嵌合させる複数の被嵌合部２３ａ，２３ｂ，２３ｃを設けるようにしたりしてもよい。
【００５３】
すなわち、前記第二ベース部２１及びプレート部材３の少なくとも何れか一方に他方側に突出した突出部３１が設けられ、前記第二ベース部２１及びプレート部材３の少なくとも何れか他方に前記突出部３１を嵌合させる被嵌合部２３ａ，２３ｂ，２３ｃが前記長穴２０の長手方向に間隔をあけて少なくとも二つ以上設けられればよい。このようにしても、第二部材２をスライドさせることで、突出部３１が嵌合される被嵌合部２３ａ，２３ｂ，２３ｃが変わることになり、第一規制部１２と第二規制部２２との間隔を塀Ｗの厚みに対応させた状態で固定することができる。
【００５４】
上記実施形態において、金属プレートをＬ字状に曲げ加工して第一部材１（第一ベース部１１及び第一規制部１２）及び第二部材２（第二ベース部２１及び第二規制部２２）を形成したが、これに限定されるものではなく、例えば、二枚の板材を互いに直角をなすように溶接して、第一部材１（第一ベース部１１及び第一規制部１２）及び第二部材２（第二ベース部２１及び第二規制部２２）のそれぞれを形成しても勿論よい。また、第一部材１又は第二部材２の一方を、金属プレートをＬ字状に曲げ加工して形成し、第一部材１又は第二部材２の他方を、二枚の板材を互いに直角をなすように溶接して作製してもよい。そして、第一部材１の連結部１０は、筒体（パイプ）に限定されるものではなく、例えば、中実の棒材であってもよい。但し、軽量化を図るには、上記実施形態と同様に、筒体で連結部１０を構成することが好ましい。
【００５５】
上記実施形態において、第二部材２をスライドさせることで、連結部１０を基準にして第二ベース部２１の長手方向の一端側及び他端側の何れの側にも位置できるように複数の被嵌合部２３ａ，２３ｂ，２３ｃを設け、プレート部材３を挿通穴周りで１８０°回転させることで、連結部１０よりも第二ベース部２１の長手方向の一端側に位置する被嵌合部２３ａ，２３ｂ，２３ｃ及び他端側に位置する被嵌合部２３ａ，２３ｂ，２３ｃに突出部３１を嵌合させるようにしたが、例えば、複数の被嵌合部２３ａ，２３ｂ，２３ｃは、第二部材２をスライドさせても連結部１０を基準にして第二ベース部２１の長手方向の一端側又は他端側の何れか一方側に位置するように、長穴２０の長手方向に間隔をあけて設けるようにしてもよい。但し、このようにすると、プレート部材３を１８０°反転させなくてもよいが、対応させる塀Ｗの種類が増えれば被嵌合部２３ａ，２３ｂ，２３ｃの数が対応して増えることになるので、第二ベース部２１の基端から先端までの長さが長くなって大型化することを考慮すれば、上記実施形態と同様にプレート部材３を１８０°反転させるようにすることが好ましい。
【００５６】
また、突出部３１は、連結部１０（挿入穴３０）に対して第二ベース部２１の長手方向に変位した位置に設けられるものに限定されるものではなく、例えば、連結部１０（挿入穴３０）に対して第二ベース部２１の長手方向で同位（横並び）に突出部３１を設けてもよい。但し、この場合、プレート部材３を１８０°反転させる構成にしても、突出部３１の位置が第二部材２のスライド方向に変位しないので、対応させる塀Ｗの種類が増えれば被嵌合部２３ａ，２３ｂ，２３ｃの数が対応して増え、第二ベース部２１の基端から先端までの長さが長くなって大型化することを考慮すれば、突出部３１を連結部１０（挿入穴３０）に対して第二ベース部２１の長手方向に変位した位置に設け、上記実施形態と同様にプレート部材３を１８０°反転させるようにすることが好ましい。
【００５７】
上記実施形態において、第二ベース部２１の両側端に突片１３，１３を延設し、該突片１３，１３に規制ピン（鍔付きリベット）１４を取り付けることで、第二部材２（第二ベース部２１）が第一部材１（第一ベース部１１）から浮き上がる（離脱する）のを阻止するようにしたが、これに限定されるものではなく、例えば、突片１３，１３及びリベット１４を設けることなく、単に第二部材２の第二ベース部２１を第一部材１の第一ベース部１１上に積層するようにしてもよい。このようにしても、脚体５０ａ，５０ｂ，…を連結部１０に外嵌することで脚体５０ａ，５０ｂ，…の荷重がプレート部材３及び第二部材２に作用して突出部３１の被嵌合部２３ａ，２３ｂ，２３ｃに対する嵌合状態が維持され、突出部３１を被嵌合部２３ａ，２３ｂ，２３ｃに嵌合させることで、第一規制部１２と第二規制部２２とを塀Ｗの厚みに対応した間隔で維持させることができる。
【００５８】
上記実施形態において、索条Ｌを介してプレート部材３を突片１３，１３に連結するようにしたが、これに限定されるものではなく、プレート部材３を索条Ｌで連結せずに独立させてもよい。但し、仮設足場は、分解して別の現場で組み立てられるものであるので、プレート部材３の紛失を防止するには索条Ｌで連結することが好ましくい。また、索条Ｌには、ワイヤー以外に、チェーンやロープ等を採用することができる。そして、索条Ｌでプレート部材３を連結する場合には、索条Ｌを突片１３，１３に連結するものに限定されず、第一部材１または第二部材２の何れかの部位に連結すればよい。但し、索条Ｌは、突出部３１と被嵌合部２３ａ，２３ｂ，２３ｃとの嵌合の解除を許容し、プレート部材３を１８０°反転させるようにする場合には、プレート部材３の回転を許容する長さに設定することは勿論のことである。
【００５９】
上記実施形態において、脚体５０ａ，５０ｂ，…の掛止部５３にブラケット５１の被掛止部５７を掛止させるタイプの仮設足場を一例にしたが、これに限定されるものではなく、例えば、脚体５０ａ，５０ｂ，…に対して楔を介してブラケット５１を連結するタイプの仮設足場にも採用することができる。
【図面の簡単な説明】
【００６０】
【図１】本発明の一実施形態に係る仮設足場用基台の分解斜視図を示す。
【図２】同実施形態に係る仮設足場用基台の平面図であって、第一部材に対して第二部材をスライドさせたときの位置関係を仮想線で示した平面図を示す。
【図３】同実施形態に係る仮設足場用基台の斜視図であって、長穴の長手方向の他端側に変位させた突出部を長穴の長手方向の中央にある被嵌合部に嵌合させた状態の斜視図を示す。
【図４】同実施形態に係る仮設足場用基台の斜視図であって、長穴の長手方向の他端側に変位させた突出部を長穴の長手方向の他端側にある被嵌合部に嵌合させた状態の斜視図を示す。
【図５】同実施形態に係る仮設足場用基台の斜視図であって、長穴の長手方向の一端側に変位させた突出部を長穴の長手方向の一端側にある被嵌合部に嵌合させた状態の斜視図を示す。
【図６】同実施形態に係る仮設足場用基台の斜視図であって、長穴の長手方向の一端側に変位させた突出部を長穴の長手方向の中央にある被嵌合部に嵌合させた状態の斜視図を示す。
【図７】同実施形態に係る仮設足場用基台の斜視図であって、長穴の長手方向の一端側に変位させた突出部を長穴の長手方向の他端側にある被嵌合部に嵌合させた状態の斜視図を示す。
【図８】同実施形態に係る仮設足場用基台の使用状態を説明するための説明図であって、（ａ）は、作業領域に沿って所定間隔おきに一本ずつ脚（脚体の連続体）を立設して仮設足場を構築する際の部分側面図を示し、（ｂ）は、作業領域に沿って所定間隔おきに二本一組の脚（脚体の連続体）を立設して仮設足場を構築する際の部分側面図を示す。
【図９】同実施形態に係る仮設足場用基台の使用状態を説明するための説明図であって、作業領域に沿って所定間隔おきに一本ずつ脚（脚体の連続体）を立設して仮設足場を構築する際の部分斜視図を示す。
【図１０】同実施形態に係る仮設足場用基台の使用状態を説明するための説明図であって、仮設足場用基台を塀の天面上に配置した状態の部分拡大側面図を示す。
【図１１】同実施形態に係る仮設足場用基台の使用状態を説明するための説明図であって、作業領域に沿って所定間隔おきに二本一組の脚（脚体の連続体）を立設して仮設足場を構築する際の部分斜視図を示す。
【図１２】従来の仮設足場用基台の使用状態を説明するための説明図であって、（ａ）は、作業領域に沿って所定間隔おきに一本ずつ脚（脚体の連続体）を立設して仮設足場を構築する際の部分側面図を示し、（ｂ）は、作業領域に沿って所定間隔おきに二本一組の脚（脚体の連続体）を立設して仮設足場を構築する際の部分側面図を示す。
【符号の説明】
【００６１】
１…第一部材、２…第二部材、３…プレート部材、１０…連結部、１１…第一ベース部、１２…第一規制部、１３…突片、１４…規制ピン（リベット）、１５…貫通穴、２０…長穴、２１…第二ベース部、２２…第二規制部、２３ａ，２３ｂ，２３ｃ…被嵌合部（切欠部）、３１…突出部、５０ａ，５０ｂ，…脚体、５１…ブラケット、５２…踏板、５３，…掛止部、５４…ベース、５５…連結部、５６…ブラケット本体、５７…被掛止部、５８…踏板本体、５９，５９…フック、６０…当接部、６１…アーム、Ａ…基台、Ｂ…仮設足場用基台、Ｈ…索条挿通穴、Ｌ…索条、Ｗ…塀、Ｘ…作業領域
【図１】
2008280745.tif 000003
【図２】
2008280745.tif 000004
【図３】
2008280745.tif 000005
【図４】
2008280745.tif 000006
【図５】
2008280745.tif 000007
【図６】
2008280745.tif 000008
【図７】
2008280745.tif 000009
【図８】
2008280745.tif 000010
【図９】
2008280745.tif 000011
【図１０】
2008280745.tif 000012
【図１１】
2008280745.tif 000013
【図１２】
2008280745.tif 000014